【手続補正書】
【提出日】平成21年8月24日(2009.8.24)
【手続補正１】
【補正対象書類名】明細書
【補正対象項目名】特許請求の範囲
【補正方法】変更
【補正の内容】
【特許請求の範囲】
【請求項１】  
所定の通信媒体を介して複数の情報配信サーバ、端末装置と通信可能な印刷装置を制御する印刷制御装置であって、
いずれかの情報配信サーバより印刷対象情報を取得するためのアドレス情報を前記端末装置から受信する受信手段と、
前記受信手段により受信されたアドレス情報に基づいて、いずれかの情報配信サーバから印刷対象情報を取得する取得手段と、
前記取得手段により取得される前記印刷対象情報に基づき印刷処理を行う印刷手段と、
前記印刷対象情報を前記印刷手段で印刷処理するための印刷料金を計算する計算手段と、
前記計算手段により計算された印刷料金を表示装置に表示する表示制御手段と、
前記印刷手段による印刷処理開始前に、前記計算手段により計算された印刷料金を徴収する料金徴収手段と、
を有することを特徴とする印刷制御装置。
【請求項２】
前記計算手段は、前記印刷対象情報のアドレス情報に対応付けられた料金情報に基づいて印刷料金を計算することを特徴とする請求項１記載の印刷制御装置。
【請求項３】
前記計算手段は、前記印刷対象情報を取得する情報配信サーバから提供される料金情報から印刷料金を計算することを特徴とする請求項１記載の印刷制御装置。
【請求項４】
前記計算手段は、前記取得手段が取得する前記印刷対象情報に含まれる料金情報に基づいて印刷料金を計算することを特徴とする請求項１記載の印刷制御装置。
【請求項５】
所定の通信媒体を介して複数の情報配信サーバ，端末装置と通信可能な印刷装置を制御する印刷制御装置であって、
いずれかの情報配信サーバより印刷対象情報を取得するためのアドレス情報を前記端末装置から受信する受信手段と、
前記受信手段により受信されたアドレス情報に基づいて、いずれかの情報配信サーバから印刷対象情報を取得する取得手段と、
前記取得手段により取得される前記印刷対象情報に基づき印刷処理を行う印刷手段と、
前記印刷手段が前記印刷対象情報を印刷するための印刷料金を計算する第１の計算手段と、
前記第１の計算手段により計算された印刷料金を表示装置に表示する第１の表示制御手段と、
前記印刷手段による印刷処理開始前に、前記第１の計算手段により計算された印刷料金を徴収する料金徴収手段と、
前記取得手段により取得される前記印刷対象情報に基づき表示すべき印刷イメージを作成する作成手段と、
前記作成手段により作成された印刷イメージを前記表示装置に表示する第２の表示制御手段と、
を有することを特徴とする印刷制御装置。
【請求項６】
所定の通信媒体を介して複数の情報配信サーバ，端末装置と通信可能な印刷装置を制御する印刷制御装置であって、
いずれかの情報配信サーバより印刷対象情報を取得するためのアドレス情報を前記端末装置から受信する受信手段と、
前記受信手段により受信されたアドレス情報に基づいて、いずれかの情報配信サーバから印刷対象情報を取得する取得手段と、
前記取得手段により取得される前記印刷対象情報に基づき印刷処理を行う印刷手段と、
前記印刷対象情報に対する印刷料金を計算する第１の計算手段と、
前記第１の計算手段により計算された印刷料金を表示装置に表示する第１の表示制御手段と、
前記印刷手段による印刷処理開始前に、前記第１の計算手段により計算された印刷料金を徴収する第１の料金徴収手段と、
前記取得手段により取得される前記印刷対象情報に基づき表示すべき印刷イメージを作成する作成手段と、
前記作成手段により作成された印刷イメージを前記表示装置に表示する第２の表示制御手段と、
前記印刷イメージの表示に対する表示料金を計算する第２の計算手段と、
前記第２の計算手段により計算された表示料金を前記表示装置に表示する第３の表示制御手段と、
前記第２の計算手段により計算された表示料金を徴収する第２の料金徴収手段と、
を有することを特徴とする印刷制御装置。
【請求項７】  
所定の通信媒体を介して複数の情報配信サーバ、端末装置と通信可能な印刷装置を制御する印刷制御装置における印刷制御方法であって、
いずれかの情報配信サーバより印刷対象情報を取得するためのアドレス情報を前記端末装置から受信する受信工程と、
前記受信工程により受信されたアドレス情報に基づいて、いずれかの情報配信サーバから印刷対象情報を取得する取得工程と、
前記取得工程により取得される前記印刷対象情報に基づき印刷処理を行う印刷工程と、
前記印刷対象情報を前記印刷工程で印刷処理するための印刷料金を計算する計算工程と、
前記計算工程により計算された印刷料金を表示装置に表示する表示制御工程と、
前記印刷工程による印刷処理開始前に、前記計算工程により計算された印刷料金を徴収する料金徴収工程と、
を有することを特徴とする印刷制御方法。
【請求項８】
所定の通信媒体を介して複数の情報配信サーバ，端末装置と通信可能な印刷装置を制御する印刷制御装置における印刷制御方法であって、
いずれかの情報配信サーバより印刷対象情報を取得するためのアドレス情報を前記端末装置から受信する受信工程と、
前記受信工程により受信されたアドレス情報に基づいて、いずれかの情報配信サーバから印刷対象情報を取得する取得工程と、
前記取得工程により取得される前記印刷対象情報に基づき印刷処理を行う印刷工程と、
前記印刷工程が前記印刷対象情報を印刷するための印刷料金を計算する第１の計算工程と、
前記第１の計算工程により計算された印刷料金を表示装置に表示する第１の表示制御工程と、
前記印刷工程による印刷処理開始前に、前記第１の計算工程により計算された印刷料金を徴収する料金徴収工程と、
前記取得工程により取得される前記印刷対象情報に基づき表示すべき印刷イメージを作成する作成工程と、
前記作成工程により作成された印刷イメージを前記表示装置に表示する第２の表示制御工程と、
を有することを特徴とする印刷制御方法。
【請求項９】
所定の通信媒体を介して複数の情報配信サーバ，端末装置と通信可能な印刷装置を制御する印刷制御装置における印刷制御方法であって、
いずれかの情報配信サーバより印刷対象情報を取得するためのアドレス情報を前記端末装置から受信する受信工程と、
前記受信工程により受信されたアドレス情報に基づいて、いずれかの情報配信サーバから印刷対象情報を取得する取得工程と、
前記取得工程により取得される前記印刷対象情報に基づき印刷処理を行う印刷工程と、
前記印刷対象情報に対する印刷料金を計算する第１の計算工程と、
前記第１の計算工程により計算された印刷料金を表示装置に表示する第１の表示制御工程と、
前記印刷工程による印刷処理開始前に、前記第１の計算工程により計算された印刷料金を徴収する第１の料金徴収工程と、
前記取得工程により取得される前記印刷対象情報に基づき表示すべき印刷イメージを作成する作成工程と、
前記作成工程により作成された印刷イメージを前記表示装置に表示する第２の表示制御工程と、
前記印刷イメージの表示に対する表示料金を計算する第２の計算工程と、
前記第２の計算工程により計算された表示料金を前記表示装置に表示する第３の表示制御工程と、
前記第２の計算工程により計算された表示料金を徴収する第２の料金徴収工程と、
を有することを特徴とする印刷制御方法。
【請求項１０】  
所定の通信媒体を介して複数の情報配信サーバ、端末装置と通信可能な印刷装置を制御する印刷制御装置に、
いずれかの情報配信サーバより印刷対象情報を取得するためのアドレス情報を前記端末装置から受信する受信工程と、
前記受信工程により受信されたアドレス情報に基づいて、いずれかの情報配信サーバから印刷対象情報を取得する取得工程と、
前記取得工程により取得される前記印刷対象情報に基づき印刷処理を行う印刷工程と、
前記印刷対象情報を前記印刷工程で印刷処理するための印刷料金を計算する計算工程と、
前記計算工程により計算された印刷料金を表示装置に表示する表示制御工程と、
前記印刷工程による印刷処理開始前に、前記計算工程により計算された印刷料金を徴収する料金徴収工程とを実行させるためのプログラムを記憶したコンピュータが読み取り可能な記憶媒体。
【請求項１１】
所定の通信媒体を介して複数の情報配信サーバ，端末装置と通信可能な印刷装置を制御する印刷制御装置に、
いずれかの情報配信サーバより印刷対象情報を取得するためのアドレス情報を前記端末装置から受信する受信工程と、
前記受信工程により受信されたアドレス情報に基づいて、いずれかの情報配信サーバから印刷対象情報を取得する取得工程と、
前記取得工程により取得される前記印刷対象情報に基づき印刷処理を行う印刷工程と、
前記印刷工程が前記印刷対象情報を印刷するための印刷料金を計算する第１の計算工程と、
前記第１の計算工程により計算された印刷料金を表示装置に表示する第１の表示制御工程と、
前記印刷工程による印刷処理開始前に、前記第１の計算工程により計算された印刷料金を徴収する料金徴収工程と、
前記取得工程により取得される前記印刷対象情報に基づき表示すべき印刷イメージを作成する作成工程と、
前記作成工程により作成された印刷イメージを前記表示装置に表示する第２の表示制御工程とを実行させるためのプログラムを記憶したコンピュータが読み取り可能な記憶媒体。
【請求項１２】
所定の通信媒体を介して複数の情報配信サーバ，端末装置と通信可能な印刷装置を制御する印刷制御装置に、
いずれかの情報配信サーバより印刷対象情報を取得するためのアドレス情報を前記端末装置から受信する受信工程と、
前記受信工程により受信されたアドレス情報に基づいて、いずれかの情報配信サーバから印刷対象情報を取得する取得工程と、
前記取得工程により取得される前記印刷対象情報に基づき印刷処理を行う印刷工程と、
前記印刷対象情報に対する印刷料金を計算する第１の計算工程と、
前記第１の計算工程により計算された印刷料金を表示装置に表示する第１の表示制御工程と、
前記印刷工程による印刷処理開始前に、前記第１の計算工程により計算された印刷料金を徴収する第１の料金徴収工程と、
前記取得工程により取得される前記印刷対象情報に基づき表示すべき印刷イメージを作成する作成工程と、
前記作成工程により作成された印刷イメージを前記表示装置に表示する第２の表示制御工程と、
前記印刷イメージの表示に対する表示料金を計算する第２の計算工程と、
前記第２の計算工程により計算された表示料金を前記表示装置に表示する第３の表示制御工程と、
前記第２の計算工程により計算された表示料金を徴収する第２の料金徴収工程とを実行させるためのプログラムを記憶したコンピュータが読み取り可能な記憶媒体。
【請求項１３】 
サーバが管理する情報に対応づけたアドレスを表示する表示手段と、
前記表示手段に表示されたアドレスに対応づけられた前記情報を印刷するための料金情報を前記サーバに対して行う問合わせ手段と、
前記問合わせ手段による前記サーバからの応答に基づいて、前記表示手段に前記情報を印刷するための料金情報を表示する制御手段と、
前記表示手段に表示されたアドレスを選択して、当該アドレスに対応づけられた情報に対する印刷予約を前記サーバに対して行う予約手段と、
を有することを特徴とする携帯端末。
【請求項１４】
選択されたアドレスに対応づけられた情報を印刷する印刷装置を選択する印刷装置選択手段を有することを特徴とする請求項１３記載の携帯端末。
【請求項１５】
前記料金情報は、アドレスに対応づけられた情報を表示するための表示料金と、選択されたアドレスに対応づけられた情報を印刷するための印刷料金とが含まれていることを特徴とする請求項１３記載の携帯端末。
【請求項１６】
前記表示手段は、前記選択されたアドレスに対応づけられた情報のページを表示しないことを特徴とする請求項１３記載の携帯端末。
【請求項１７】
前記表示手段は、前記選択されたアドレスに対応づけられた情報を印刷可能であるか否かを識別可能に表示することを特徴とする請求項１３記載の携帯端末。
【請求項１８】 
管理する情報に対する印刷予約を携帯端末から受け付けるサーバであって、
前記情報を印刷するための料金に対する問い合わせを前記携帯端末より受信する受信手段と、
前記携帯端末で選択されるアドレスに対応づけた情報を印刷するための料金情報を算出する算出手段と、
前記算出手段が算出した料金情報を前記携帯端末に通知する通知手段と、
を有することを特徴とするサーバ。
【請求項１９】 前記料金情報は、選択されたアドレスに対応づけられた印刷料金と、前記アドレスを前記携帯端末に表示するための表示料金とを含むことを特徴とする請求項１８記載のサーバ。
【請求項２０】 
サーバが管理する情報に対応づけたアドレスを表示部に表示する表示工程と、
前記表示部に表示されたアドレスに対応づけられた前記情報を印刷するための料金情報を前記サーバに対して行う問合わせ工程と、
前記問合わせ工程による前記サーバからの応答に基づいて、前記表示部に前記情報を印刷するための料金情報を表示する制御工程と、
前記表示部に表示されたアドレスを選択して、当該アドレスに対応づけられた情報に対する印刷予約を前記サーバに対して行う予約工程と、
を有することを特徴とする携帯端末のデータ処理方法。
【請求項２１】 
管理する情報に対する印刷予約を携帯端末から受け付けるサーバのデータ処理方法であって、
前記情報を印刷するための料金に対する問い合わせを前記携帯端末より受信する受信工程と、
前記携帯端末で選択されるアドレスに対応づけた情報を印刷するための料金情報を算出する算出工程と、
前記算出工程が算出した料金情報を前記携帯端末に通知する通知工程と、
を有することを特徴とするサーバのデータ処理方法。
【請求項２２】 
携帯端末に、
サーバが管理する情報に対応づけたアドレスを表示部に表示する表示工程と、
前記表示部に表示されたアドレスに対応づけられた前記情報を印刷するための料金情報を前記サーバに対して行う問合わせ工程と、
前記問合わせ工程による前記サーバからの応答に基づいて、前記表示部に前記情報を印刷するための料金情報を表示する制御工程と、
前記表示部に表示されたアドレスを選択して、当該アドレスに対応づけられた情報に対する印刷予約を前記サーバに対して行う予約工程とを実行させるためのプログラムを記録したコンピュータが読み取り可能な記憶媒体。
【請求項２３】 
管理する情報に対する印刷予約を携帯端末から受け付けるサーバに、
前記情報を印刷するための料金に対する問い合わせを前記携帯端末より受信する受信工程と、
前記携帯端末で選択されるアドレスに対応づけた情報を印刷するための料金情報を算出する算出工程と、
前記算出工程が算出した料金情報を前記携帯端末に通知する通知工程とを実行させるためのプログラムを記録したコンピュータが読み取り可能な記憶媒体。
【手続補正２】
【補正対象書類名】明細書
【補正対象項目名】００１０
【補正方法】変更
【補正の内容】
【００１０】
【課題を解決するための手段】
本発明に係る印刷制御装置は、以下の特徴的構成を備える。
所定の通信媒体を介して複数の情報配信サーバ、端末装置と通信可能な印刷装置を制御する印刷制御装置であって、いずれかの情報配信サーバより印刷対象情報を取得するためのアドレス情報を前記端末装置から受信する受信手段と、前記受信手段により受信されたアドレス情報に基づいて、いずれかの情報配信サーバから印刷対象情報を取得する取得手段と、前記取得手段により取得される前記印刷対象情報に基づき印刷処理を行う印刷手段と、前記印刷対象情報を前記印刷手段で印刷処理するための印刷料金を計算する計算手段と、前記計算手段により計算された印刷料金を表示装置に表示する表示制御手段と、前記印刷手段による印刷処理開始前に、前記計算手段により計算された印刷料金を徴収する料金徴収手段とを有することを特徴とする。
また、所定の通信媒体を介して複数の情報配信サーバ，端末装置と通信可能な印刷装置を制御する印刷制御装置であって、いずれかの情報配信サーバより印刷対象情報を取得するためのアドレス情報を前記端末装置から受信する受信手段と、前記受信手段により受信されたアドレス情報に基づいて、いずれかの情報配信サーバから印刷対象情報を取得する取得手段と、前記取得手段により取得される前記印刷対象情報に基づき印刷処理を行う印刷手段と、前記印刷手段が前記印刷対象情報を印刷するための印刷料金を計算する第１の計算手段と、前記第１の計算手段により計算された印刷料金を表示装置に表示する第１の表示制御手段と、前記印刷手段による印刷処理開始前に、前記第１の計算手段により計算された印刷料金を徴収する料金徴収手段と、前記取得手段により取得される前記印刷対象情報に基づき表示すべき印刷イメージを作成する作成手段と、前記作成手段により作成された印刷イメージを前記表示装置に表示する第２の表示制御手段とを有することを特徴とする。
さらに、所定の通信媒体を介して複数の情報配信サーバ，端末装置と通信可能な印刷装置を制御する印刷制御装置であって、いずれかの情報配信サーバより印刷対象情報を取得するためのアドレス情報を前記端末装置から受信する受信手段と、前記受信手段により受信されたアドレス情報に基づいて、いずれかの情報配信サーバから印刷対象情報を取得する取得手段と、前記取得手段により取得される前記印刷対象情報に基づき印刷処理を行う印刷手段と、前記印刷対象情報に対する印刷料金を計算する第１の計算手段と、前記第１の計算手段により計算された印刷料金を表示装置に表示する第１の表示制御手段と、前記印刷手段による印刷処理開始前に、前記第１の計算手段により計算された印刷料金を徴収する第１の料金徴収手段と、前記取得手段により取得される前記印刷対象情報に基づき表示すべき印刷イメージを作成する作成手段と、前記作成手段により作成された印刷イメージを前記表示装置に表示する第２の表示制御手段と、前記印刷イメージの表示に対する表示料金を計算する第２の計算手段と、前記第２の計算手段により計算された表示料金を前記表示装置に表示する第３の表示制御手段と、前記第２の計算手段により計算された表示料金を徴収する第２の料金徴収手段とを有することを特徴とする。
【手続補正３】
【補正対象書類名】明細書
【補正対象項目名】００１１
【補正方法】変更
【補正の内容】
【００１１】
本発明に係る携帯端末は、以下の特徴的構成を備える。
サーバが管理する情報に対応づけたアドレスを表示する表示手段と、前記表示手段に表示されたアドレスに対応づけられた前記情報を印刷するための料金情報を前記サーバに対して行う問合わせ手段と、前記問合わせ手段による前記サーバからの応答に基づいて、前記表示手段に前記情報を印刷するための料金情報を表示する制御手段と、前記表示手段に表示されたアドレスを選択して、当該アドレスに対応づけられた情報に対する印刷予約を前記サーバに対して行う予約手段と、
を有することを特徴とする。
【手続補正４】
【補正対象書類名】明細書
【補正対象項目名】００１２
【補正方法】変更
【補正の内容】
【００１２】
本発明に係るサーバは、以下の特徴的構成を備える。
管理する情報に対する印刷予約を携帯端末から受け付けるサーバであって、前記情報を印刷するための料金に対する問い合わせを前記携帯端末より受信する受信手段と、前記携帯端末で選択されるアドレスに対応づけた情報を印刷するための料金情報を算出する算出手段と、前記算出手段が算出した料金情報を前記携帯端末に通知する通知手段とを有することを特徴とする。